(57)【要約】【課題】工場のピッキングシステムなどにおいて、収納棚の前面に設置されるセンサ装置や表示装置の移動や変更、収納棚の改変をより容易とする配線ダクトシステムを提供する。【解決手段】配線ダクトシステムにおいて、電力線１６と通信線１７を含む導線を収納する配線ダクト１は、開口部１２を横方向とした場合、配線ダクト１の上側面及び下側面に、配線ダクト１の長手方向に沿ってプラグを係止する凹形状のスリット１８ａ，１８ｂを有する。プラグをスリット１８ａ，１８ｂで配線ダクト１に係止し、プラグに物体を検知する光センサ、及び情報を表示する表示器を接続することで、光センサや表示器の移動や変更や、収納棚の改変を容易化できる。【選択図】図５
2012165626.tif 000002
【特許請求の範囲】
【請求項１】
電力及び信号の伝送路を備え、この伝送路を用いて電気機器に電力及び信号を供給する配線ダクトシステムにおいて、
前記伝送路を形成する電力線と通信線を含む導線を収納する配線ダクトと、
前記配線ダクトに着脱可能に保持されると共に、前記電気機器に接続され前記電気機器に電力及び信号を供給するプラグと、を備え、
前記電気機器は、物体を検知するセンサ、及び情報を表示する表示装置を備えていることを特徴とする配線ダクトシステム。
【請求項２】
電力線と通信線を含む導線を収納する配線ダクトと、前記配線ダクトに着脱可能に保持されると共に、電気機器と接続され、前記電気機器に電力及び信号を供給するプラグと、を備える配線ダクトシステムにおいて、
前記配線ダクトは、一側面に開口部を持ち、当該開口部を横方向とした場合、前記配線ダクトの上側面及び下側面の少なくとも一方に、前記配線ダクトの長手方向に沿って、前記プラグを係止する凹形状又は凸形状のスリットを有し、
前記プラグは、前記スリットに係止する係止部品を備えることを特徴とする配線ダクトシステム。
【請求項３】
前記配線ダクトは、一側面に開口部を持ち、当該開口部を横方向とした場合、前記配線ダクトの上側面及び下側面の少なくとも一方に、前記配線ダクトの長手方向に沿って、前記プラグを係止する凹形状又は凸形状のスリットを有し、
前記プラグは、前記スリットに係止する係止部品を備えることを特徴とする請求項１記載の配線ダクトシステム。
【請求項４】
前記配線ダクトは、その長手方向に直交する断面が、一側面に開口部を持つＵ字形状であることを特徴とする請求項１乃至請求項３のいずれか一項に記載の配線ダクトシステム。
【請求項５】
前記配線ダクトは、前記開口部を横方向とした場合、前記配線ダクトの上側面及び下側面の少なくとも一方には、前記配線ダクトの長手方向に沿って、被設置面に係止するための凹形状又は凸形状のスリットを有し、
前記被設置面側には、当該スリットに嵌め合わせる嵌合部品が設けられることを特徴とする請求項１乃至請求項４のいずれか一項に記載の配線ダクトシステム。
【請求項６】
前記配線ダクトは、前記嵌合部品を用いて、前記被設置面となる部材の垂直断面中心を通る水平面及び垂直面と交わらない位置に配置される、ことを特徴とする請求項５記載の配線ダクトシステム。
【請求項７】
前記配線ダクトに収納される導線は、前記配線ダクトの短手方向に平行に配列されることを特徴とする請求項１乃至請求項６のいずれか一項に記載の配線ダクトシステム。
【請求項８】
前記配線ダクトに収納される導線は、前記配線ダクトの開口部に対向する面に配列されることを特徴とする請求項１乃至請求項６のいずれか一項に記載の配線ダクトシステム。
【発明の詳細な説明】
【技術分野】
【０００１】
本発明は、電力及び信号の伝送路を備え、この伝送路を用いて電気機器に電力及び信号を供給する配線ダクトシステムに関し、特に、工場などにおけるピッキングシステムなどに用いる配線ダクトシステムに関する。
【背景技術】
【０００２】
従来より、工場や店舗や事務所の屋内において、天井に配線ダクトを敷設して、配線ダクトシステムを設けることが知られている。この配線ダクトシステムでは、様々な照明器具や他の電気器具の電源を任意の位置から取り出すことができ、また照明器具や電気機器のプラグの取り付けや取り外しも容易となる。
【０００３】
このような配線ダクトシステムとして、誘導ノイズが通信用配線に発生することを抑制するための間隔が電力供給用配線と通信用配線との間に設けられた配線ダクトが開示されている（例えば、特許文献１参照）。
【０００４】
また、図１６に示すように、例えば、物流倉庫や工場などのピッキング作業において、収納棚３０の前面に表示装置３１やセンサ装置３２を取り付け、表示装置３１に取り出す部品の数や取出し順番などを表示して作業誤りを防止するピッキング支援システムがある。このピックキング支援システムでは、収納棚３０には部品収納用のコンテナ３３が載置され、また、表示装置３１及びセンサ装置３２は、電力線及び通信線となるケーブル３４にコネクタ３５を介して接続される。そして、例えば、ピッキング対象となる部品が変更され、部品を収納する領域の大きさや数が増減しても、工具を用いて収納棚を改変することなく、表示装置を収納領域に配置できるピッキングシステムが開示されている（例えば、特許文献２参照）。
【先行技術文献】
【特許文献】
【０００５】
【特許文献１】特開２０１０−１７７１３８号公報
【特許文献２】特開２００５−２１２９６１号公報
【発明の概要】
【発明が解決しようとする課題】
【０００６】
しかしながら、上記従来のピッキングシステムでは、図１６に示すように、電気機器である表示装置３１やセンサ装置３２を単に収納棚３０の前面に取り付け、各装置に対してコネクタ３５を介して電力線及び通信線となるケーブル３４を接続する。このため、一旦収納棚３０に設置された表示装置３１やセンサ装置３２といった電器機器の変更や移動、電力線や通信線となるケーブル３４の再配線、各部品を収納するコンテナ３３の変更が容易にできないという問題がある。また、単に収納棚３０に複雑に表示装置３１やセンサ装置３２などの電気機器やケーブル３４が入り組み見栄えが良くないという問題もある。
【０００７】
そして、上記従来の配線ダクトシステムでは、配線ダクトには照明器具などの重量感がある電気機器が接続される。このため、図１７に示すように、従来の配線ダクトシステムでは、天井や壁面に強固に取り付けるための治具４１、この治具４１に配線ダクト４０を固定するためのリブ４２、配線ダクト４０を天井４３に固定する場合のネジ４４などが設けられる。そして、配線ダクト４０が天井から外れないための構造や重量感のある照明器具が配線ダクト４０から外れないための構造を設ける必要がある。
【０００８】
本発明は、上記課題に鑑みてなされ、工場などのピッキングシステムにおいて、収納棚に設置されるセンサ装置や表示装置の移動や変更、収納棚の改変をより容易とすると共に、美観をも向上させた配線ダクトシステムを提供することを目的とする。また、センサ装置及び表示装置を併せて備えることでピッキング作業における作業確認、作業誤りの防止を実現した配線ダクトシステムを提供する。さらに、重量感のある照明器具などの電気機器以外を配線ダクトに接続できる配線ダクトシステムを提供することをも目的とする。
【課題を解決するための手段】
【０００９】
上記目的を達成するために本発明は、電力及び信号の伝送路を備え、この伝送路を用いて電気機器に電力及び信号を供給する配線ダクトシステムにおいて、前記伝送路を形成する電力線と通信線を含む導線を収納する配線ダクトと、前記配線ダクトに着脱可能に保持されると共に、前記電気機器に接続され前記電気機器に電力及び信号を供給するプラグと、を備え、前記電気機器は、物体を検知するセンサ、及び情報を表示する表示装置を備えていることを特徴とする。
【００１０】
また、本発明は、電力線と通信線を含む導線を収納する配線ダクトと、前記配線ダクトに着脱可能に保持されると共に、電気機器と接続され、前記電気機器に電力及び信号を供給するプラグと、を備える配線ダクトシステムにおいて、前記配線ダクトは、一側面に開口部を持ち、当該開口部を横方向とした場合、前記配線ダクトの上側面及び下側面の少なくとも一方に、前記配線ダクトの長手方向に沿って、前記プラグを係止する凹形状又は凸形状のスリットを有し、前記プラグは、前記スリットに係止する係止部品を備えることを特徴とする。
【００１１】
これらの配線ダクトシステムにおいて、前記配線ダクトは、一側面に開口部を持ち、当該開口部を横方向とした場合、前記配線ダクトの上側面及び下側面の少なくとも一方に、前記配線ダクトの長手方向に沿って、前記プラグを係止する凹形状又は凸形状のスリットを有し、前記プラグは、前記スリットに係止する係止部品を備えることが好ましい。
【００１２】
これらの配線ダクトシステムにおいて、前記配線ダクトは、その長手方向に直交する断面が、一側面に開口部を持つがＵ字形状とされていることが好ましい。
【００１３】
これらの配線ダクトシステムにおいて、前記配線ダクトは、前記開口部を横方向とした場合、前記配線ダクトの上側面及び下側面の少なくとも一方には、前記配線ダクトの長手方向に沿って、被設置面に係止するための凹形状又は凸形状のスリットを有し、前記被設置面側には、当該スリットに嵌め合わせる嵌合部品が設けられることが好ましい。
【００１４】
これらの配線ダクトシステムにおいて、前記配線ダクトは、前記嵌合部品を用いて、前記被設置面となる部材の垂直断面中心を通る水平面及び垂直面と交わらない位置に配置されることが好ましい。
【００１５】
これらの配線ダクトシステムにおいて、前記配線ダクトの収納される導線は、前記配線ダクトの短手方向に平行に配列されることが好ましい。
【００１６】
これらの配線ダクトシステムにおいて、前記配線ダクトに収納される導線は、前記配線ダクトの開口部に対向する面に配列されることが好ましい。
【発明の効果】
【００１７】
本発明に係る配線ダクトシステムによれば、配線ダクトの上側面及び下側面に、配線ダクトの長手方向に沿ってプラグを係止する凹形状のスリットや、配線ダクトをパイプに取り付けるためのスリットが形成される。この構成により、物体を検知するセンサ、及び情報を表示する表示装置などが接続されるプラグを配線ダクトに取り付けて、当該配線ダクトシステムを用いる収納棚に設置されたセンサ装置や表示装置の移動や変更、収納棚の改変を容易化できる。また、センサ装置及び表示装置を併せて配線ダクトに取り付けてピッキング作業における作業確認、作業誤りの防止を実現できる。
【図面の簡単な説明】
【００１８】
【図１】本実施の形態に係る配線ダクトシステムの全体構成図である。
【図２】同上配線ダクトシステムの斜視図である。
【図３】（ａ）同上実施の形態における光センサの平面図、（ｂ）同上光センサの側面図、（ｃ）同上光センサの正面図である。
【図４】同上実施の形態における配線ダクトの斜視図、（ｂ）同上配線ダクトの側面図、（ｃ）同上配線ダクトの平面図、（ｄ）同上配線ダクトの正面図である。
【図５】（ａ）同上実施の形態における配線ダクトの断面図、（ｂ）他の配線ダクトの断面図、（ｃ）他の配線ダクトの断面図である。
【図６】（ａ）同上実施の形態におけるプラグの斜視図、（ｂ）同上プラグの右側面図、（ｃ）同上プラグの平面図、（ｄ）同上プラグの背面図、（ｅ）同上プラグの左側面図である。
【図７】（ａ）同上実施の形態における係止部品の斜視図、（ｂ）同上係止部品の平面図、（ｃ）同上係止部品の正面図、（ｄ）同上係止部品の側面図、（ｅ）同上係止部品のプラグへの取り付けを説明する図である。
【図８】（ａ）及び（ｂ）は同上プラグの配線ダクトへの取り付け法を説明する図である。
【図９】同上配線ダクトのパイプへの取り付け法を説明する図である。
【図１０】（ａ）及び（ｂ）は他の配線ダクトの断面図である。
【図１１】同上配線ダクトシステムの全体構成を説明する図である。
【図１２】（ａ）本発明の実施の形態の第１の変形例に係る配線ダクトの側面図、（ｂ）乃至（ｄ）はそれぞれ同上配線ダクトのパイプへの取り付け法を説明する図である。
【図１３】（ａ）同上配線ダクトの側面図、（ｂ）及び（ｃ）はそれぞれ同上配線ダクトのパイプへの取り付け法を説明する図である。
【図１４】（ａ）同上配線ダクトをパイプに固定するために用いるクリップを示す図、（ｂ）乃至（ｄ）はそれぞれ同上配線ダクトのパイプへの取り付け法を説明する図である。
【図１５】（ａ）及び（ｂ）はそれぞれ同上配線ダクトのパイプへの取り付け法を説明する図である。
【図１６】従来のピッキングシステムに用いられる収納棚の外観の一例を示す図である。
【図１７】（ａ）及び（ｂ）従来の配線ダクトシステムにおける配線ダクトの天井面への取り付け法を説明する図である。
【発明を実施するための形態】
【００１９】
（実施の形態）
本発明の実施の形態に係る配線ダクトシステムについて図面を参照して説明する。本実施の形態に係る配線ダクトシステムＳは、工場のピッキングシステムなどに用いられ、図１に示すように、配線ダクト１、プラグ２、表示器３、及び光センサ４を備えている。なお、ピッキングシステムとは、要求（出荷指示）に対して作業者が部品を収納棚（パイプ棚５）の部品収納用のコンテナ６から選び出す仕分け（ピッキング）作業を支援するためのシステムである。そして、例えば必要な部品数量を表示器３に表示して、順に部品をコンテナ６から取り出したかを光センサ４を用いて検知する。
【００２０】
配線ダクト１は、複数の部品収納用のコンテナ６を備えたパイプ棚５の前面を被設置面として取り付けられ、この配線ダクト１の前面に、プラグ２を介して表示器３や光センサ４などの電気機器が取り付けられる。本実施の形態において、配線ダクト１には、弱電力で駆動可能であり、比較的軽量な電気機器に電力及び信号を供給するためのプラグ２が着脱可能に取付けられる。なお、収納棚はパイプ棚５に限定する必要はなくアルミ棚などでもよい。
【００２１】
プラグ２は、配線ダクト１に着脱可能に保持されると共に、電気機器に接続され当該電気機器に電力及び信号を供給する。このプラグ２には、図２においては、配線ダクト１の長手方向の両端に光センサ４、配線ダクト１の長手方向の中央部に表示器３が取り外し可能に取り付けられる。なお、プラグ２に取り付けられる電気機器の構成は表示器３や光センサ４に限定されるものではなく、人感センサなどの他の電気機器でもよい。
【００２２】
表示器３は、ピッキング作業を支援する情報を表示するＬＥＤ表示部や液晶表示部を備え、制御コンピュータからの通信信号を受けて、数値表示、ランプ表示や作業者の部品取り出しの可否、取り出し部品数などの作業履歴の表示を行う。なお、作業誤り時に作業者に対して警告ブザーを発する機能などを有していてもよい。光センサ４は、図３に示すような赤外線センサであり、作業者の手による光の遮断を検知するための投光器４ａ及び受光器４ｂで構成されている。また、光センサ４は、検知結果を配線ダクト１を介して通信接続された制御コンピュータに送信する。
【００２３】
以下、本実施の形態の配線ダクトシステムＳに用いる配線ダクト１に関して図４及び図５を参照しながら説明する。配線ダクト１は、図４に示すように、所定の直線方向（以下、長手方向Ｌ）に延びた成形体である。
【００２４】
配線ダクト１のハウジングは、図５に示すように、長手方向Ｌに直交する断面がＵ字形状であり、金属材料からなる金属部１０と、金属部１０の周囲に設けられた絶縁樹脂からなる絶縁体１１とを備えている。金属部１０及び絶縁体１１は、長手方向Ｌに沿って延びている。なお、配線ダクト１を樹脂材のみで構成することも考え得る。
【００２５】
配線ダクト１は、電力線１６及び通信線１７を収納する内部空間を有すると共に、この内部空間に連続する開口部１２を有し、この開口部１２は、長手方向Ｌにおいて延びて設けられている。なお、開口部１２にはプラグ２が取り付けられ、配線ダクト１は、開口部１２を横向きとしてパイプ棚５に取り付けられる。
【００２６】
配線ダクト１の芯材である金属部１０は、配線ダクト１が設置される設置面に向かい合わせて設けられる基部１３を有している。長手方向Ｌに垂直な断面において上下方向に延びる平板状の基部１３は、長手方向Ｌに沿って延びる。
【００２７】
長手方向Ｌに垂直断面においてＵ字形状の外形を有する金属部１０は、上側に設けられる上側壁部１４と、下側に設けられる下側壁部１５とを備えている。なお、本実施の形態において、配線ダクト１には、設置面である基部１３と向き合うように設けられる対向壁部は形成されず、長手方向Ｌに垂直する方向においてＵ字形状の断面となる。すなわち、配線ダクト１の内側底面がフラット構造になる。この構造により、配線ダクト１では、配線ダクト１の内部に侵入した塵埃を容易に掃除できる。また、このように塵埃を容易に掃除できるため、塵埃が配線ダクト１の内部空間に侵入することを防ぐダクトカバーを開口部１２に取り付ける必要性がなくなる。さらには、配線ダクト１に取り付けられる電気機器は、弱電力用で駆動可能な機器であるため、特にダクトカバーを設けなくても火災などの安全上の規定に抵触することがない。
【００２８】
金属部１０は、非磁性体の金属材料であるアルミニウムからなるため、例えば、金属部１０が強磁性体である鉄からなる場合に比較して、配線ダクト１の外部への電磁波を遮断できる。
【００２９】
絶縁体１１は、絶縁樹脂で形成され、電力線１６及び通信線１７と金属部１０とが接続されないように金属部１０の外周表面を覆うように設けられている。絶縁体１１は、電力線１６及び通信線１７を支持している。従って、金属部１０は、絶縁体１１により電力線１６及び通信線１７と絶縁され、電磁シールドとして機能する。また、絶縁体１１を絶縁樹脂で形成することにより、配線ダクト１を任意の箇所で容易に切断することができフレキシブルで自由度の高い部材とできる。
【００３０】
配線ダクト１は、図５に示す電力線１６及び通信線１７を備えるため電力と同時に通信信号をプラグ２に接続された表示器３や光センサ４などの電気機器に供給できる。従って、電力供給と通信信号を必要とする電気機器を配線ダクト１に接続する場合であっても、必要なケーブル数を少なくすることができる。
【００３１】
次に、配線ダクト１に備わる電力線１６及び通信線１７の配置に関して説明する。
図５（ａ）に示す場合、電力線１６は、通信線１７よりも上方に位置するように設けられている。電力線１６は、金属部１０の上側壁部１４に設けられた絶縁体１１によって固定されている２つの導線１６ａ，１６ｂにより構成され、その並び方向が短手方向に平行な方向に、間隔を空けて設けられている。通信線１７は、金属部１０の下側壁部１５に設けられた絶縁体１１によって固定されている２つの通信線１７ａ，１７ｂにより構成され、その並び方向が短手方向に平行な方向に、間隔を空けて設けられている。
【００３２】
図５（ｂ）に示す場合、電力線１６及び通信線１７からなる複数の導線の全てが短手方向に配置され、図５（ｃ）に示す場合には、電力線１６及び通信線１７からなる複数の導線の全てが、配線ダクト１の開口部１２に対向する設置面に平行な方向に配列されている。なお、電力線１６及び通信線１７の配置は図５に限定されるものではない。要は、配線ダクト１の内側底面がフラット構造となり、電力線１６と通信線１７が配線ダクト１に取り付けられるプラグ２の端子と接続すればよい。
【００３３】
次に、センサ４の配線ダクト１への取り付け構造に関して説明する。
図５（ａ）に示すように、配線ダクト１の開口部１２を横方向とした場合、配線ダクト１の上側面及び下側面には、配線ダクト１の長手方向Ｌに沿って、プラグ２を係止する凹形状又は凸形状のスリット１８ａ，１８ｂが形成されている。なお、本図では樹脂製の絶縁体１１にのみスリット１８ａ，１８ｂが形成され、金属部１０には加工時の手間を要するためスリットが形成されていない。
【００３４】
そして、図６に示すように、プラグ２は、上部に例えば１ｍｍ段落としされた貫通孔２ａが形成され、この貫通孔２ａに図７に示す係止部品７がはめ込まれる。係止部品７は、図７に示すように垂直方向の断面が凹形状であり、配線ダクト１に形成されたスリット１８ａに係止するようバネ軸用いて回転するプッシュ式の係止機構となる。このため、プラグ２を配線ダクト１の開口部１２から挿入し、配線ダクト１に形成されたスリット１８ａに係止するための係止部品７をプッシュ式操作することでプラグ２の配線ダクト１への固定／解除がワンタッチ操作で可能となる。
【００３５】
プラグ２は、取り付けられる電気機器のコネクタを差し込むためのコネクタ挿入部２ｂが側面に形成されている。なお、プラグ２の寸法は配線ダクト１の寸法に合わせて形成される。
【００３６】
次に、図８を参照して配線ダクト１とプラグ２との電気接続構造に関して説明する。
図８に示すように、プラグ２には配線ダクト１の開口部１２に嵌合する凸部２ｃが形成され、この凸部２ｃの側面には、配線ダクト１の電力線１６及び通信線１７と接続する栓刃２ｄ（端子）を有している。
【００３７】
図８（ａ）においては、プラグ２を配線ダクト１の開口部１２から挿入し、プラグ２の回転可能な凸部２ｃを９０度回転させて栓刃２ｄと電力線１６及び通信線１７とを接続させる。また、図８（ｂ）においては、プラグ２を配線ダクト１の短手方向に押し込むことで栓刃２ｄと電力線１６及び通信線１７とを接続させる。
【００３８】
次に、図９を参照して配線ダクト１のパイプ棚５への取り付け構造に関して説明する。
配線ダクト１の開口部１２を横方向とした場合、配線ダクト１の上側面又は下側面には、配線ダクト１の長手方向Ｌに沿って、被設置面であるパイプ８に係止するための凹形状のスリット１９ａ，１９ｂが形成される。一方、被設置面であるパイプ８の外周面には、配線ダクト１のスリット１９ａ，１９ｂに嵌め合わせて配線ダクト１をパイプ８に固定するための嵌合部品９が所定間隔で複数備えられる。そして、嵌合部品９に設けられたネジ９ａ等を用いて締め付けることで配線ダクト１を被設置面であるパイプ８の前面に強固に取り付けることができる。
【００３９】
なお、図１０（ａ）に示すように、配線ダクト１に形成されるスリット１８，１９を凹形状でなく凸形状とし、プラグ２に形成される凹部と係合することも考え得る。また、図１０（ｂ）に示すように、スリット１８，１９の配置を変更したり、スリット１８，１９を上下どちらかの一方の外側面に形成してもよい。この構成により、配線ダクト１を机上や地面に載置し、この配線ダクト１により軽量、且つ弱電力で駆動可能な電気機器を容易に接続することができるようになる。
【００４０】
次に、本実施の形態に係る配線ダクトシステムＳのシステム構成に関して説明する。
図１１に示すように、配線ダクトシステムＳは、パイプ棚５に取り付けられる配線ダクト１と、制御コンピュータ２１と、中継装置２２と、配線ダクト１及び中継装置２２を接続するための専用ケーブル２３とを備える。配線ダクト１の電力線に供給する電源は、例えば変換器２４を用いて交流１００Ｖから２４Ｖに変換された後、中継装置２２及び専用ケーブル２３を介して配線ダクト１側に給電される。専用ケーブル２３と配線ダクト１とはフィードイン部材（専用部材）２５を介して接続される。
【００４１】
制御コンピュータ２１は、工場でのピッキングシステム用の専用プログラムを実行して、表示器３に部品数表示などを行うと共に、配線ダクト１に接続された光センサ４からの検出信号を受信して作業者の作業誤りを検出する機能を有する。
【００４２】
以上の説明のように、本実施の形態に係る配線ダクトシステムにおいては、工場のピッキングシステムなどにおいて、パイプ棚５の前面に設置される光センサ４や表示器３の移動や変更、パイプ棚５の改変がより容易となる。また、収納用のパイプ棚５の美観も向上させることができる。そして、表示器３及び光センサ４を併せて配線ダクト１に取り付けてピッキング作業における作業確認、作業誤りの防止を実現できる。
【００４３】
また、重量感のある照明器具などの電気機器以外であって、交流２４Ｖ等の弱電力で駆動可能な表示器３や光センサ４を配線ダクト１に接続できる。この場合、配線ダクト１の外側面に形成されたスリット１８、及びプラグ２に備わる係止部品７を係合することでプラグ２を配線ダクト１にワンタッチで容易に固定できる。
【００４４】
さらに、配線ダクト１の内側面の底部はフラット構造となるため、配線ダクト１の内部に侵入した塵埃を容易に掃除できる。また、塵埃が配線ダクト１の内部に入るのを防止するダクトカバーを開口部１２に取り付ける必要性がなくなる。
【００４５】
（第１の変形例）
本実施の形態の第１の変形例について、図１２から図１５を参照して説明する。上記実施の形態では、図９において、配線ダクト１を、嵌合部品９を用いてパイプ８の真横位置に取り付ける場合を示しているが、本変形例においては、配線ダクト１をパイプ８の斜め下側に取り付ける。
【００４６】
図１２（ａ）に示すように、配線ダクト１の開口部５１を横方向とした場合、配線ダクト１の上側面及び下側面には、配線ダクト１の長手方向に沿って、嵌合部品５２に係止される凹形状のスリット５０ａ，５０ｂが形成されている。配線ダクト１は、通信線及び電力線を内部に収容する。配線ダクト１の被設置面となる部材であるパイプ８の外周には、これらスリット５０ａ，５０ｂに嵌め合わされて配線ダクト１をパイプ８に固定するための嵌合部品５２が、複数箇所において取り付けられる。
【００４７】
そして、図１２（ｂ）及び（ｃ）に示すように、嵌合部品５２の可動側を矢印方向に可動させ、嵌合部品５２の端部に形成された凸部５２ａ，５２ｂを、配線ダクト１の凹形状のスリット５０ａ，５０ｂに引っ掛け、ネジ５３を用いて締め付ける。この構造により、配線ダクト１を被設置面の部材であるパイプ８に強固に取り付けることができる。この場合、嵌合部品５２は、配線ダクト１を、パイプ８の垂直断面中心を通る水平面５４及び垂直面５５と交わらない位置に配置させる構造を有する。なお、図１２（ｄ）は、配線ダクト１の開口部５１を図１２（ｂ）及び（ｃ）とは反対方向にして取り付ける場合を示し、図１３は、配線ダクト１の開口部１２を下方向にして取り付ける場合を示している。
【００４８】
以上、本変形例において、配線ダクト１は、上記構造の嵌合部品５２を用いて、パイプ８の垂直断面中心を通る水平面５４及び垂直面５５と交わらない位置に配置される。従って、配線ダクト１、プラグ２、表示器３及びセンサ４の各々を邪魔にならない位置に設置して配線ダクトシステムの設計の自由度を高めることができる。
【００４９】
なお、嵌合部品５２を固定する部材は図１２及び図１３に示すネジ５３に限定されるものではない。ずなわち、図１４及び図１５に示すように、ネジ５３の代わりに嵌合部品５２を側面側から固定するクリップ５６を用いる場合もある。この場合、図１４及び図１５に示す領域５７，５９にプラグ２を、領域５８，６０に表示器３などを設置でき、配線ダクト１の周囲に各部材を配置し易くなる。また、クリップ５６を用いることで、より手間を要せずに嵌合部品５２を介して配線ダクト１をパイプ８に取り付けることができる。
【００５０】
なお、本発明は、上記実施形態の構成に限られず、発明の趣旨を変更しない範囲で種々の変形が可能である。例えば、配線ダクト１内に配線させる導線は、電力線１６と通信線１７の２回路に限定されるものではない。また、電気的な安全が必要な場合には、各導体間を絶縁樹脂で隔離させることもできる。併せて、配線ダクト１の開口部１２に絶縁カバーを取り付けることもでき、その場合の絶縁カバーの係止も配線ダクト１の外側面に形成されたスリットで固定することが考え得る。
【００５１】
さらに、上記実施の形態においては、配線ダクト１のパイプ棚５への設置面を開口部１２に対向する面であるものとして説明しているが、例えば設置面を配線ダクト１の上側面や下側面などとすることもできる。またさらに、配線ダクト１の開口部１２は横方向に限定されるものではなく、配線ダクト１を天井面などに設置する場合には開口部１２を下面に配置したり、配線ダクト１を床面などに設置する場合には開口部１２を上面に配置することも考え得る。
【符号の説明】
【００５２】
Ｓ  配線ダクトシステム
１  配線ダクト
２  プラグ
３  表示器
４  光センサ
５  パイプ棚
６  コンテナ
７  係止部品
９，５２  嵌合部品
１０  金属部
１１  絶縁部
１２，５１  開口部
１６  電力線
１７  通信線
１８ａ，１８ｂ，１９ａ，１９ｂ，５０ａ，５０ｂ  スリット
２１  制御コンピュータ
５３  ネジ
５４  水平面
５５  垂直面
５６  クリップ
【図１】
2012165626.tif 000003
【図２】
2012165626.tif 000004
【図３】
2012165626.tif 000005
【図４】
2012165626.tif 000006
【図５】
2012165626.tif 000007
【図６】
2012165626.tif 000008
【図７】
2012165626.tif 000009
【図８】
2012165626.tif 000010
【図９】
2012165626.tif 000011
【図１０】
2012165626.tif 000012
【図１１】
2012165626.tif 000013
【図１２】
2012165626.tif 000014
【図１３】
2012165626.tif 000015
【図１４】
2012165626.tif 000016
【図１５】
2012165626.tif 000017
【図１７】
2012165626.tif 000018
【図１６】
2012165626.tif 000019